(57)【要約】【課題】表示装置の表示における品位の低下を抑えることを可能としたタッチセンサ用電極、タッチパネル、および、表示装置を提供する。【解決手段】各ノードＮＤ内において、仮想格子内での格子点は、当該仮想格子内で２０個以上１３００個以下含まれる。電極線は、仮想格子の格子点に位置する電極線同士の交差部に幅広部３１ＤＷ，３３ＳＷを備える。電極線が延びる方向に等間隔で並ぶ幅広部３１ＤＷ，３３ＳＷの個数、および、重畳格子を構成する単位構造２１ＵＳの対角方向に等間隔で並ぶ幅広部３１ＤＷ，３３ＳＷの個数がノードＮＤ内で１０個以下であるように、仮想格子の格子点に電極線の切れ目が位置する。【選択図】図７
2020106984.tif 000002
【特許請求の範囲】
【請求項１】
第１仮想格子上に位置する電極線で構成された第１電極層と、
第２仮想格子上に位置する電極線で構成された第２電極層であって、前記第１電極層と前記第２電極層との重なりで重畳格子を構成する第２電極層と、を備え、
各仮想格子の単位構造は、一辺が２００μｍ以上１０００μｍ以下の平行四辺形であり、
前記重畳格子の単位構造は、前記平行四辺形よりも小さい平行四辺形であり、
静電容量の測定単位となるノードは、一辺が３ｍｍ以上７ｍｍ以下の正方形状であり、
前記複数のノードは、前記重畳格子において隙間なく並び、
各ノード内において、
各仮想格子内での格子点は、当該仮想格子内で２０個以上１３００個以下含まれ、
前記電極線は、前記格子点に位置する電極線同士の交差部に幅広部を備え、
前記電極線が延びる方向に等間隔で並ぶ前記幅広部の個数、および、前記重畳格子を構成する単位構造の対角方向に等間隔で並ぶ前記幅広部の個数が前記ノード内で１０個以下であるように、前記仮想格子の格子点に前記電極線の切れ目が位置する
タッチセンサ用電極。
【請求項２】
各ノード内において、
前記電極線が延びる方向に前記重畳格子の格子点の間隔で連続する前記幅広部の個数、および、前記重畳格子を構成する単位構造の対角方向に前記重畳格子の格子点の間隔で連続する前記幅広部の個数が前記ノード内で１０個以下であるように、前記仮想格子の格子点に前記電極線の前記切れ目が位置する
請求項１に記載のタッチセンサ用電極。
【請求項３】
前記第１電極層および前記第２電極層の両方が、前記電極線の前記切れ目を有する
請求項１または２に記載のタッチセンサ用電極。
【請求項４】
前記複数の切れ目を含む電極層は、
各ノード内に、静電容量を測定する周辺回路に接続された電極線と、当該電極線から絶縁されたダミー電極線とを備え、前記周辺回路に接続された電極線が囲む領域内に、２つ以上の前記切れ目が不規則に位置している
請求項１から３のいずれか一項に記載のタッチセンサ用電極。
【請求項５】
各仮想格子の単位構造において、２つの内角が鋭角であり、２つの内角が鈍角である
請求項１から４のいずれか一項に記載のタッチセンサ用電極。
【請求項６】
前記複数の幅広部は、第１幅広部と第２幅広部とを含み、
前記第１幅広部は、前記対角方向において互いに隣り合う前記仮想格子の単位構造の両方に広がる形状を有し、
前記第２幅広部は、前記対角方向において互いに隣り合う前記仮想格子の単位構造のうちの一方にのみ広がる形状を有し、
各ノード内において、前記第１幅広部の個数が、前記第２幅広部の個数よりも少ない
請求項１から５のいずれか一項に記載のタッチセンサ用電極。
【請求項７】
請求項１から６のいずれか一項に記載のタッチセンサ用電極と、
前記タッチセンサ用電極を覆うカバー層と、
前記第１電極層と前記第２電極層との間の静電容量を測定する周辺回路と、を備える
タッチパネル。
【請求項８】
複数の画素を有して情報を表示する表示パネルと、
前記表示パネルが表示する情報を透過するタッチパネルと、
前記タッチパネルの駆動を制御する制御部と、を備え、
前記タッチパネルは、請求項７に記載のタッチパネルである
表示装置。
【発明の詳細な説明】
【技術分野】
【０００１】
本発明は、タッチセンサ用電極、タッチパネル、および、表示装置に関する。
【背景技術】
【０００２】
表示装置は、表示パネルとタッチパネルとを備えている。表示装置において、表示パネルに対してタッチパネルが積み重なり、タッチパネルは、表示パネルが表示する画像などの情報を透過する透過性を有している。タッチパネルは、タッチパネルが広がる平面と対向する平面視において、タッチパネルのなかで、表示装置の使用者によって触れられた部位を検出するためのタッチセンサ用電極を備えている。タッチセンサ用電極は、複数のドライブ電極、複数のセンシング電極、および、透明誘電体基板を備えている。各電極は、電極線によって形成された格子によって構成された帯状を有している（例えば、特許文献１を参照）。
【先行技術文献】
【特許文献】
【０００３】
【特許文献１】特開２０１８−１６０３９５号公報
【発明の概要】
【発明が解決しようとする課題】
【０００４】
ところで、表示パネルは、表示パネルの種類に関わらず、表示パネルが備える複数の画素の各々を他の画素から分離するためにブラックマトリクスを備えている。ブラックマトリクスは、規則的に分割された格子状を有している。そのため、上述したタッチセンサ用電極を備えるタッチパネルが表示パネルに積み重ねられることによって、ドライブ電極あるいはセンシング電極を構成する格子の並びにおける規則性と、ブラックマトリクスの並びにおける規則性とに起因してモアレが生じることがある。こうしたモアレは、表示装置の使用者によって、表示装置が表示する情報とともに視認されてしまい、これによって、表示装置の表示における品位が低下してしまう。
【０００５】
本発明は、表示装置の表示における品位の低下を抑えることを可能としたタッチセンサ用電極、タッチパネル、および、表示装置を提供することを目的とする。
【課題を解決するための手段】
【０００６】
上記課題を解決するためのタッチセンサ用電極は、第１仮想格子上に位置する電極線で構成された第１電極層と、第２仮想格子上に位置する電極線で構成された第２電極層であって、前記第１電極層と前記第２電極層との重なりで重畳格子を構成する第２電極層と、を備える。各仮想格子の単位構造は、一辺が２００μｍ以上１０００μｍ以下の平行四辺形であり、前記重畳格子の単位構造は、前記平行四辺形よりも小さい平行四辺形であり、静電容量の測定単位となるノードは、一辺が３ｍｍ以上７ｍｍ以下の正方形状であり、前記複数のノードは、前記重畳格子において隙間なく並ぶ。各ノード内において、各仮想格子内での格子点は、当該仮想格子内で２０個以上１３００個以下含まれ、前記電極線は、前記格子点に位置する電極線同士の交差部に幅広部を備え、前記電極線が延びる方向に等間隔で並ぶ前記幅広部の個数、および、前記重畳格子を構成する単位構造の対角方向に等間隔で並ぶ前記幅広部の個数が前記ノード内で１０個以下であるように、前記仮想格子の格子点に前記電極線の切れ目が位置する。
【０００７】
上記課題を解決するためのタッチパネルは、上記タッチセンサ用電極と、前記タッチセンサ用電極を覆うカバー層と、前記第１電極層と前記第２電極層との間の静電容量を測定する周辺回路と、を備える。
【０００８】
上記課題を解決するための表示装置は、複数の画素を有して情報を表示する表示パネルと、前記表示パネルが表示する情報を透過するタッチパネルと、前記タッチパネルの駆動を制御する制御部と、を備える。前記タッチパネルは、上記タッチパネルである。
【０００９】
金属製の薄膜をウェットエッチングすることによって格子を形成する場合には、格子を構成する単位構造の交差部にエッチング液が侵入しにくい。これにより、交差部における線幅が、交差部以外の部分に比べて大きい傾向を有する。一方で、単位構造が有する交差部は所定の規則で並ぶため、タッチセンサ用電極を備えるタッチパネルが表示パネルに重ねられた場合に、交差部の並びにおける規則性と、カラーフィルタ層などが備えるブラックマトリクスの並びにおける規則性とに起因して、モアレが生じることがある。しかも、モアレにおけるコントラストは、交差部における線幅が大きいほど強くなる傾向を有する。
【００１０】
上記構成によれば、電極線が延びる方向、および、対角方向の両方において、等間隔で並ぶ幅広部の個数が１０個以下であるように、電極線の切れ目が格子点上に存在する。そのため、幅広部の並びにおける規則性と、ブラックマトリクスの並びにおける規則性とに起因して、モアレが生じることが抑えられる。結果として、こうしたタッチセンサ用電極を備えるタッチパネルと表示パネルとの積層体である表示装置において、表示の品位における低下が抑えられる。
【００１１】
上記タッチセンサ用電極では、各ノード内において、前記電極線が延びる方向に前記重畳格子の格子点の間隔で連続する前記幅広部の個数、および、前記重畳格子を構成する単位構造の対角方向に前記重畳格子の格子点の間隔で連続する前記幅広部の個数が前記ノード内で１０個以下であるように、前記仮想格子の格子点に前記電極線の前記切れ目が位置してもよい。
【００１２】
上記構成によれば、電極線が延びる方向、および、対角方向の両方において、重畳格子の格子点の間隔で連続する幅広部の個数が１０個以下であるように、電極線の切れ目が格子点上に存在する。そのため、重畳格子の格子点の間隔で連続する幅広部と、ブラックマトリクスの並びにおける規則性とに起因して、モアレが生じることが抑えられる。結果として、表示装置において、表示の品位における低下が抑えられる。
【００１３】
上記タッチセンサ用電極において、前記第１電極層および前記第２電極層の両方が、前記電極線の前記切れ目を有してもよい。上記構成によれば、第１電極層および第２電極層のいずれか一方のみが複数の切れ目を有する場合に比べて、等間隔で並ぶ幅広部の個数を１０個以下にするための切れ目の位置における自由度を高めることができる。これにより、第１電極層と第２電極層との間に求められる静電容量の大きさなどに応じて、第１電極層における切れ目の配置、および、第２電極層における切れ目の配置におけるバリエーションを増やすことができる。
【００１４】
上記タッチセンサ用電極において、前記複数の切れ目を含む電極層は、各ノード内に、静電容量を測定する周辺回路に接続された電極線と、当該電極線から絶縁されたダミー電極線とを備え、前記周辺回路に接続された電極線が囲む領域内に、２つ以上の前記切れ目が不規則に位置してもよい。
【００１５】
上記構成によれば、周辺回路に接続された電極線が囲む領域に複数の切れ目が不規則に位置している。そのため、当該領域において、幅広部の並びにおける規則性とブラックマトリクスの並びにおける規則性とに起因したモアレが生じることが抑えられる。
【００１６】
上記タッチセンサ用電極では、各仮想格子の単位構造において、２つの内角が鋭角であり、２つの内角が鈍角であってもよい。上記構成によれば、仮想格子の単位構造が正方形状である場合に比べて、幅の広い幅広部が形成されやすい。こうしたタッチセンサ用電極において、電極線の延びる方向、および、対角方向において等間隔で並ぶ幅広部の個数が１０個以下であるように、複数の切れ目が格子点上に位置するため、切れ目による効果がより顕著である。
【００１７】
上記タッチセンサ用電極において、前記複数の幅広部は、第１幅広部と第２幅広部とを含み、前記第１幅広部は、前記対角方向において互いに隣り合う前記仮想格子の単位構造の両方に広がる形状を有し、前記第２幅広部は、前記対角方向において互いに隣り合う前記仮想格子の単位構造のうちの一方にのみ広がる形状を有し、各ノード内において、前記第１幅広部の個数が、前記第２幅広部の個数よりも少なくてもよい。
【００１８】
上記構成によれば、第１幅広部の個数が第２幅広部の個数以上である場合に比べて、より幅の広い幅広部の個数を少なくすることができ、結果として、モアレにおけるコントラストが強くなりにくい。
【発明の効果】
【００１９】
本発明によれば、表示装置の表示における品位の低下を抑えることが可能である。
【図面の簡単な説明】
【００２０】
【図１】表示装置の構造における一例を示す断面図。
【図２】カラーフィルタ層の構造における一例を示す平面図。
【図３】タッチセンサ用電極の構造における一例を模式的に示す平面図。
【図４】タッチパネルの電気的構成を説明するためのブロック図。
【図５】タッチセンサ用電極の第１例において、ドライブ電極における１つのノードを示す平面図。
【図６】タッチセンサ用電極の第１例において、センシング電極における１つのノードを示す平面図。
【図７】タッチセンサ用電極の第１例において、タッチセンサ用電極における１つのノードを示す平面図。
【図８】タッチセンサ用電極の第２例において、ドライブ電極における１つのノードを示す平面図。
【図９】タッチセンサ用電極の第２例において、センシング電極における１つのノードを示す平面図。
【図１０】タッチセンサ用電極において、タッチセンサ用電極における１つのノードを示す平面図。
【図１１】表示装置の構造における変形例を示す断面図。
【図１２】表示装置の構造における別の変形例を示す断面図。
【発明を実施するための形態】
【００２１】
図１から図１０を参照して、タッチセンサ用電極、タッチパネル、および、表示装置の一実施形態を説明する。
［表示装置の構成］
図１が示すように、表示装置１００は、表示パネル１０とタッチパネル２０とが図示しない１つの透明接着層によって貼り合わせられた積層体と、制御部とを備えている。表示パネル１０は、例えば液晶パネルである。制御部は、タッチパネル２０を駆動するための回路や、タッチパネル２０の駆動を制御する。なお、表示パネル１０とタッチパネル２０との相対的な位置が、筐体などの他の構成によって固定されるのであれば、表示パネル１０とタッチパネル２０とを貼り合わせるための透明接着層は省略されてもよい。
【００２２】
表示パネル１０の表面には、略矩形状の表示面が区画されている。表示面には、画像データに基づく画像などの情報が表示される。表示パネル１０を構成する要素は、表示パネル１０の厚さ方向において、タッチパネル２０からの距離が大きい要素から順に、以下のように並んでいる。すなわち、表示パネル１０の厚さ方向において、下側偏光板１１、薄膜トランジスタ（以下、ＴＦＴ）基板１２、ＴＦＴ層１３、液晶層１４、カラーフィルタ層１５、カラーフィルタ基板１６、上側偏光板１７が、順に並んでいる。
【００２３】
ＴＦＴ層１３には、サブ画素を構成する画素電極がマトリクス状に位置している。カラーフィルタ層１５は、ブラックマトリクスを有している。ブラックマトリクスは、矩形状を有した複数の単位構造から構成される格子状を有している。ブラックマトリクスは、サブ画素の各々と向かい合う矩形状を有した複数の空間を区画している。ブラックマトリクスが区画する各領域には、白色光を赤色、緑色、および、青色のいずれかの色を有した光に変える着色層が位置している。
【００２４】
なお、表示パネル１０が有色の光を出力するＥＬパネルであり、赤色光を出力する赤色画素、緑色光を出力する緑色画素、および、青色光を出力する青色画素を有する場合には、カラーフィルタ層１５は省略されてもよい。ＥＬパネルでは、ＥＬパネルにおいて相互に隣り合う画素間に位置する境界部分が、ブラックマトリクスとして機能する。また、表示パネル１０は、放電によって発光するプラズマパネルでもよい。この場合には、赤色の蛍光体層、緑色の蛍光体層、および、青色の蛍光体層を区画する境界部分が、ブラックマトリクスとして機能する。
【００２５】
タッチパネル２０は、静電容量方式のタッチパネルである。タッチパネル２０は、タッチセンサ用電極２１とカバー層２２とが、透明接着層２３によって貼り合わせられた積層体である。タッチパネル２０は、表示パネル１０が表示する情報を透過可能な光透過性を有している。
【００２６】
より詳しくは、タッチパネル２０を構成する要素は、タッチパネル２０の厚さ方向において、表示パネル１０からの距離が小さい要素から順に、以下のように並んでいる。すなわち、タッチパネル２０の厚さ方向において、透明基板３１、複数のドライブ電極３１ＤＰ、透明接着層３２、透明誘電体基板３３、複数のセンシング電極３３ＳＰ、透明接着層２３、カバー層２２が順に並んでいる。透明基板３１、複数のドライブ電極３１ＤＰ、透明接着層３２、透明誘電体基板３３、および、複数のセンシング電極３３ＳＰが、タッチセンサ用電極２１を構成している。なお、透明基板３１上に複数のセンシング電極３３ＳＰが位置し、透明誘電体基板３３上に複数のドライブ電極３１ＤＰが位置してもよい。
【００２７】
透明基板３１は、絶縁性と、表示パネル１０の表示面が表示する情報を透過する光透過性とを有している。透明基板３１は、表示面の全体に重なっている。透明基板３１は、例えば、透明ガラス基板、透明樹脂フィルム、および、シリコン基板などの基材から構成されている。透明基板３１に用いられる樹脂は、例えば、ＰＥＴ（Polyethylene Terephthalate）、ＰＭＭＡ（Polymethyl methacrylate）、ＰＰ（Polypropylene）、および、ＰＳ（Polystyrene）などであってよい。透明基板３１は、１つの基材から構成される単層構造を有してもよいし、２つ以上の基材を含む多層構造を有してもよい。
【００２８】
透明基板３１における表示パネル１０とは反対側の面は、ドライブ電極面３１Ｓである。ドライブ電極面３１Ｓには、複数のドライブ電極３１ＤＰが配置されている。複数のドライブ電極３１ＤＰ、および、ドライブ電極面３１Ｓのなかでドライブ電極３１ＤＰに覆われていない部分は、透明接着層３２によって透明誘電体基板３３に貼り合わせられている。
【００２９】
透明接着層３２は、表示面に表示される情報を透過する光透過性を有している。透明接着層３２は、例えば、ポリエーテル系接着剤、および、アクリル系接着剤などによって形成されている。
【００３０】
透明誘電体基板３３は、表示面に表示される情報を透過する光透過性と、電極間における静電容量の検出に適した比誘電率とを有する。透明誘電体基板３３は、例えば、透明ガラス基板、透明樹脂フィルム、および、シリコン基板などの基材から構成されている。透明誘電体基板３３に用いられる樹脂は、例えば、ＰＥＴ（Polyethylene Terephthalate）、ＰＭＭＡ（Polymethyl methacrylate）、ＰＰ（Polypropylene）、および、ＰＳ（Polystyrene）などであってよい。透明誘電体基板３３は、１つの基材から構成される単層構造を有してもよいし、２つ以上の基材を含む多層構造を有してもよい。
【００３１】
透明誘電体基板３３における表示パネル１０に対向する面は、透明誘電体基板３３の裏面である。複数のドライブ電極３１ＤＰが透明接着層３２によって透明誘電体基板３３に貼り合わせられることによって、透明誘電体基板３３の裏面には、複数のドライブ電極３１ＤＰが並んでいる。
【００３２】
透明誘電体基板３３において、裏面とは反対側の面が表面である。表面は、複数のセンシング電極３３ＳＰが配置されたセンシング電極面３３Ｓである。透明誘電体基板３３は、透明誘電体基板３３の厚さ方向において、複数のドライブ電極３１ＤＰと複数のセンシング電極３３ＳＰとに挟まれている。
【００３３】
複数のセンシング電極３３ＳＰ、および、センシング電極面３３Ｓのなかでセンシング電極３３ＳＰによって覆われていない部分は、透明接着層２３によって、カバー層２２に貼り合わせられている。透明接着層２３は、表示面に表示される情報を透過する光透過性を有している。透明接着層２３は、例えば、ポリエーテル系接着剤、および、アクリル系接着剤などによって形成されている。透明接着層２３として用いられる接着剤は、ウェットラミネート接着剤でもよいし、ドライラミネート接着剤でもよい。
【００３４】
カバー層２２は、強化ガラスなどのガラス基板、および、樹脂フィルムなどから構成されている。カバー層２２における透明接着層２３とは反対側の面は、タッチパネル２０の表面であり、操作面２０Ｓとして機能する。
【００３５】
なお、透明接着層２３は省略されてもよい。この場合には、カバー層２２が有する面のなかで、透明誘電体基板３３と対向する面がセンシング電極面３３Ｓである。複数のセンシング電極３３ＳＰは、センシング電極面３３Ｓに形成された１つの薄膜をパターニングすることによって形成される。
【００３６】
また、タッチパネル２０を製造する際には、上述したように、タッチセンサ用電極２１とカバー層２２とが透明接着層２３によって貼り合わせられてもよいし、以下の手順でタッチパネル２０が製造されてもよい。まず、銅などの金属から構成される薄膜を、カバー層２２に対して直に、もしくは、下地層を介して形成する。次いで、薄膜から複数のセンシング電極３３ＳＰをパターニングするためのレジスト層を薄膜上に形成する。そして、塩化第二鉄溶液などを用いたウェットエッチングによって、薄膜を複数のセンシング電極３３ＳＰに加工する。これにより、第１のフィルムを得ることができる。一方で、センシング電極３３ＳＰを形成した場合と同様に、透明基板３１に形成した薄膜を複数のドライブ電極３１ＤＰに加工することによって、第２のフィルムを得ることができる。そして、透明誘電体基板３３を挟むように、第１フィルムと第２フィルムとを透明接着層２３，３２によって透明誘電体基板３３に貼り付ける。
【００３７】
［カラーフィルタ層の平面構造］
図２は、表示パネル１０が備えるカラーフィルタ層１５の平面構造を示している。
図２が示すように、カラーフィルタ層１５は、ブラックマトリクス１５ａを備えている。ブラックマトリクス１５ａは、１つの方向である第１電極方向ＤＰ１と、第１電極方向ＤＰ１と直交する第２電極方向ＤＰ２とに沿って並ぶ矩形状を有した複数の単位構造から構成される格子パターンを有している。また、ブラックマトリクス１５ａは、複数の画素１５Ｐから構成されている。１つの画素１５Ｐは、第１電極方向ＤＰ１に沿って連続する３つの単位構造から構成されている。複数の画素１５Ｐは、第１電極方向ＤＰ１および第２電極方向ＤＰ２に沿って格子状に並んでいる。
【００３８】
複数の画素１５Ｐの各々は、赤色を表示するための赤色着色層１５Ｒ、緑色を表示するための緑色着色層１５Ｇ、および、青色を表示するための青色着色層１５Ｂから構成されている。各画素１５Ｐにおいて、例えば、赤色着色層１５Ｒ、緑色着色層１５Ｇ、および、青色着色層１５Ｂが、第１電極方向ＤＰ１に沿って順に並び、カラーフィルタ層１５の全体において、こうした着色層の並びが繰り返されている。複数の赤色着色層１５Ｒは、第２電極方向ＤＰ２に沿って連続して並んでいる。複数の緑色着色層１５Ｇは、第２電極方向ＤＰ２に沿って連続して並んでいる。複数の青色着色層１５Ｂは、第２電極方向ＤＰ２に沿って連続して並んでいる。このように、赤色着色層１５Ｒ、緑色着色層１５Ｇ、および、青色着色層１５Ｂは、第２電極方向ＤＰ２に沿って延び、かつ、第１電極方向ＤＰ１に沿って並ぶストライプ状に配置されている。
【００３９】
画素１５Ｐにおいて、第１電極方向ＤＰ１に沿う幅が第１画素幅ＷＰ１であり、第２電極方向ＤＰ２に沿う幅が第２画素幅ＷＰ２である。各着色層において、第１電極方向ＤＰ１に沿う幅が第３画素幅ＷＰ３である。第１画素幅ＷＰ１、第２画素幅ＷＰ２、および、第３画素幅ＷＰ３は、表示パネル１０の大きさや、表示パネル１０に求められる解像度などに応じた値である。第１画素幅ＷＰ１は、例えば５０μｍ以上１０００μｍ以下である。第２画素幅ＷＰ２は、例えば５０μｍ以上１０００μｍ以下である。第３画素幅ＷＰ３は、例えば１５μｍ以上３３３μｍ以下である。
【００４０】
［タッチセンサ用電極の平面構造］
図３は、透明誘電体基板３３の表面と対向する方向から見たタッチセンサ用電極２１の平面構造を示している。図３において、二点鎖線によって区画された帯状の領域であって、横方向、すなわち第１電極方向ＤＰ１に沿って延びる各領域は、１つのセンシング電極３３ＳＰが位置する領域である。一方で、二点鎖線によって区画された帯状の領域であって、縦方向、すなわち第２電極方向ＤＰ２に沿って延びる各領域は、１つのドライブ電極３１ＤＰが位置する領域である。
【００４１】
なお、図３では、図示の便宜上、センシング電極３３ＳＰの数、および、ドライブ電極３１ＤＰの数を、実際のタッチセンサ用電極２１が備える各電極の数よりも少なくしている。また、センシング電極３３ＳＰとドライブ電極３１ＤＰの構成を理解しやすくする目的で、第２電極方向ＤＰ２における端に位置する１つのセンシング電極３３ＳＰと、第１電極方向ＤＰ１における端に位置する１つのドライブ電極３１ＤＰのみが図示されている。
【００４２】
図３が示すように、各センシング電極３３ＳＰは、第１電極方向ＤＰ１に沿って延びる帯状を有している。複数のセンシング電極３３ＳＰは、第２電極方向ＤＰ２に沿って並んでいる。各センシング電極３３ＳＰにおける第１電極方向ＤＰ１での一方の端部は、１つのセンシングパッド３３Ｐに接続されている。各センシング電極３３ＳＰは、センシングパッド３３Ｐを介して検出回路に接続されている。検出回路は、タッチパネル２０の周辺回路における一例である。検出回路は、各センシング電極３３ＳＰの電圧値を測定する。
【００４３】
各センシング電極３３ＳＰは、電極線によって形成されている。電極線は、例えば、銅、銀、および、アルミニウムなどによって形成されている。各センシング電極３３ＳＰは、例えば、センシング電極面３３Ｓに形成された金属の薄膜がエッチングされることによって形成される。複数のセンシング電極３３ＳＰが、電極線によって構成されたセンシング電極層を構成している。センシング電極層は、第１電極層の一例である。センシング電極層は、第１仮想格子の一例であるセンシング仮想格子上に位置する電極線で構成されている。
【００４４】
各ドライブ電極３１ＤＰは、第２電極方向ＤＰ２に沿って延びる帯状を有している。複数のドライブ電極３１ＤＰは、第１電極方向ＤＰ１に沿って並んでいる。各ドライブ電極３１ＤＰにおける第２電極方向ＤＰ２での一方の端部は、１つのドライブパッド３１Ｐに接続されている。各ドライブ電極３１ＤＰは、ドライブパッド３１Ｐを介して選択回路に接続されている。選択回路は、タッチパネル２０の周辺回路における一例である。選択回路は、複数のドライブ電極３１ＤＰのいずれかに対して駆動信号を出力することによって、特定のドライブ電極３１ＤＰを選択する。
【００４５】
各ドライブ電極３１ＤＰは、各センシング電極３３ＳＰと同様、電極線によって形成されている。電極線は、例えば、銅、銀、および、アルミニウムなどによって形成されている。各ドライブ電極３１ＤＰは、例えば、ドライブ電極面３１Ｓに形成された金属の薄膜がエッチングされることによって形成される。複数のドライブ電極３１ＤＰが、電極線によって構成されたドライブ電極層を構成している。ドライブ電極層は第２電極層の一例である。ドライブ電極層は、第２仮想格子の一例であるドライブ仮想格子上に位置する電極線で構成され、ドライブ電極層は、センシング電極層に積み重なっている。
【００４６】
鉛直方向において、表示パネル１０をタッチパネル２０よりも下方に配置した場合、複数のドライブ電極３１ＤＰから構成されるドライブ電極層上に、複数のセンシング電極３３ＳＰから構成されるセンシング電極層が積層されている。センシング電極層とドライブ電極層との重なりによって重畳格子が構成される。
【００４７】
透明誘電体基板３３の表面と対向する方向から見て、複数のセンシング電極３３ＳＰと複数のドライブ電極３１ＤＰとは、各センシング電極３３ＳＰが、全てのドライブ電極３１ＤＰと重なるように配置されている。
【００４８】
透明誘電体基板３３の表面と対向する方向から見て、静電容量の測定単位となるノードＮＤは、一辺が３ｍｍ以上７ｍｍ以下の正方形状を有している。複数のノードＮＤは、重畳格子において隙間なく並んでいる。
【００４９】
各ノードＮＤ内において、センシング電極３３ＳＰとドライブ電極３１ＤＰとが対向する領域が、容量形成領域である。容量形成領域において、センシング電極３３ＳＰとドライブ電極３１ＤＰとの間にて静電容量が形成される。２つの電極が形成する静電容量は、人の指などとタッチパネル２０との距離に応じて変化する。タッチパネル２０では、静電容量における変化が検出されることに基づいて、タッチパネル２０のなかで人の指などが接触した位置が検出される。
【００５０】
［タッチパネルの電気的構成］
図４は、タッチパネル２０の電気的構成を、表示装置１００が備える制御部とともに模式的に示している。図４は、タッチパネル２０が、静電容量方式の一例である相互容量方式のタッチパネルとして具体化された場合の電気的構成を示している。
【００５１】
図４が示すように、タッチパネル２０は、選択回路３４および検出回路３５を備えている。上述したように、選択回路３４および検出回路３５は、周辺回路の一例である。選択回路３４は、複数のドライブ電極３１ＤＰに接続されている。検出回路３５は、複数のセンシング電極３３ＳＰに接続されている。表示装置１００は制御部３６を備え、制御部３６は、選択回路３４と検出回路３５とに接続されている。
【００５２】
制御部３６は、各ドライブ電極３１ＤＰに対する駆動信号の生成を選択回路３４に開始させるための開始タイミング信号を生成して出力する。制御部３６は、駆動信号が供給される対象を１番目のドライブ電極３１ＤＰ１からｎ番目のドライブ電極３１ＤＰｎに向けて選択回路３４に順次走査させるための走査タイミング信号を生成して出力する。
【００５３】
制御部３６は、各センシング電極３３ＳＰを流れる電流の検出を検出回路３５に開始させるための開始タイミング信号を生成して出力する。制御部３６は、検出の対象を１番目のセンシング電極３３ＳＰ１からｎ番目のセンシング電極３３ＳＰｎに向けて検出回路３５に順次走査させるための走査タイミング信号を生成して出力する。
【００５４】
選択回路３４は、制御部３６の出力した開始タイミング信号に基づいて、駆動信号の生成を開始する。選択回路３４は、制御部３６の出力した走査タイミング信号に基づいて、駆動信号の出力先を１番目のドライブ電極３１ＤＰ１からｎ番目のドライブ電極３１ＤＰｎに向けて走査する。
【００５５】
検出回路３５は、信号取得部３５ａと信号処理部３５ｂとを備えている。信号取得部３５ａは、制御部３６の出力した開始タイミング信号に基づいて、各センシング電極３３ＳＰに生成されたアナログ信号である電流信号の取得を開始する。そして、信号取得部３５ａは、制御部３６の出力した走査タイミング信号に基づいて、電流信号の取得元を１番目のセンシング電極３３ＳＰ１からｎ番目のセンシング電極３３ＳＰｎに向けて走査する。
【００５６】
信号処理部３５ｂは、信号取得部３５ａの取得した各電流信号を処理して、デジタル値である電圧信号を生成し、生成された電圧信号を制御部３６に向けて出力する。このように、選択回路３４と検出回路３５とは、静電容量の変化に応じて変わる電流信号から電圧信号を生成することによって、ドライブ電極３１ＤＰとセンシング電極３３ＳＰとの間の静電容量の変化を測定する。
【００５７】
制御部３６は、信号処理部３５ｂの出力した電圧信号に基づいて、タッチパネル２０において使用者の指などが触れている位置を検出し、検出した位置の情報を表示パネルの表示面に表示される情報の生成などの各種の処理に利用する。なお、タッチパネル２０は、相互容量方式のタッチパネル２０に限らず、自己容量方式のタッチパネルであってもよい。
【００５８】
［センシング電極およびドライブ電極］
図５から図１０を参照して、タッチセンサ用電極２１が備えるセンシング電極３３ＳＰおよびドライブ電極３１ＤＰの構成をより詳しく説明する。以下では、図５から図７を参照して、タッチセンサ用電極２１の第１例におけるセンシング電極３３ＳＰおよびドライブ電極３１ＤＰの構成を説明する。次いで、図８から図１０を参照して、タッチセンサ用電極２１の第２例におけるセンシング電極３３ＳＰおよびドライブ電極３１ＤＰの構成を説明する。
【００５９】
［第１例］
図５は、タッチセンサ用電極２１の第１例が備えるドライブ電極３１ＤＰのなかで、１つのノードＮＤ内に位置する電極線を示している。なお、図５では、ドライブ電極３１ＤＰにおいて、選択回路３４に接続される被選択電極線と、選択回路３４に接続されないダミー電極線との区別を容易にする目的で、被選択電極線の線幅が、ダミー電極線の線幅よりも太い。ただし、実際には、被選択電極線の線幅はダミー電極線の線幅と等しい。
【００６０】
図５が示すように、ドライブ電極３１ＤＰは、菱形を有する単位構造３１ＤＳが隙間なく繰り返されたドライブ仮想格子上に位置している。ドライブ電極３１ＤＰは、１つのノードＮＤを繰り返しの単位領域として、複数の単位領域から構成されている。
【００６１】
各ドライブ電極３１ＤＰは、第１電極方向ＤＰ１において互いに隣り合うドライブ電極３１ＤＰに対して電気的に接続されていない状態で、第１電極方向ＤＰ１に沿って並んでいる。各ドライブ電極３１ＤＰは、１つのドライブ仮想格子のなかで互いに異なる領域上に位置している。ドライブ仮想格子の単位構造３１ＤＳは、一辺が２００μｍ以上１０００μｍ以下の菱形である。各ノードＮＤ内において、ドライブ仮想格子内での格子点は、２０個以上１３００個以下である。本例では、ドライブ電極３１ＤＰを構成する電極線においてドライブ仮想格子の格子点に対応する部分として、折れ線部の屈曲点、直線部の一部、および、直線部と直線部との交差部を挙げることができる。
【００６２】
単位構造３１ＤＳは、二対の辺から構成され、各対を構成する２つの辺は互いに平行である。一方の対を構成する辺が延びる方向が、第１線方向ＤＳ１である。他方の対を構成する辺が延びる方向が、第２線方向ＤＳ２である。第１線方向ＤＳ１および第２線方向ＤＳ２は、第１電極方向ＤＰ１および第２電極方向ＤＰ２の両方に対して直角以外の角度で交差する方向である。
【００６３】
単位構造３１ＤＳにおいて、第１電極方向ＤＰ１において互いに隣り合う第１内角θ１の大きさが等しく、かつ、第２電極方向ＤＰ２において互いに隣り合う第２内角θ２の大きさが互いに等しい。本例では、第１内角θ１が鋭角であり、かつ、第２内角θ２が鈍角である。このように、単位構造３１ＤＳにおいて、２つの第１内角θ１が鋭角であり、２つの第２内角θ２が鈍角である。なお、本例では、第１内角θ１が７０°であり、第２内角θ２が１１０°である。
【００６４】
ドライブ電極３１ＤＰを構成する電極線は、ドライブ仮想格子の格子点に位置する電極線同士の交差部に幅広部３１ＤＷを備えている。幅広部３１ＤＷは、透明誘電体基板３３と対向する方向から見て、ドライブ電極３１ＤＰにおける幅広部３１ＤＷ以外の部分に比べて線幅が太い部分である。ドライブ電極３１ＤＰを構成する電極線は、幅広部３１ＤＷと幅狭部３１ＤＮとから構成されている。幅狭部３１ＤＮにおける線幅は、例えば１μｍ以上７μｍ以下である。なお、幅狭部３１ＤＮは、電極線の線幅として設計された設計値に応じた線幅を有した部位である。
【００６５】
ドライブ電極３１ＤＰにおいて、幅広部３１ＤＷを挟む二本の電極線が形成する角度は、鋭角である。幅広部３１ＤＷは、ドライブ仮想格子の格子点に位置し、かつ、単位構造３１ＤＳにおける第１内角θ１を有した角部に広がる形状を有している。上述したように、複数のドライブ電極３１ＤＰは、金属製の薄膜が、薄膜上に形成されたレジストマスクを用いてウェットエッチングされることによって形成される。金属製の薄膜は、複数の菱形が隙間なく並ぶようにパターニングされる。この際に、レジストマスクが区画するマスク孔が有する角部において、角部の内角が大きいほど、その角部に対してエッチング液が行き渡りやすい。一方で、レジストマスクが区画するマスク孔が有する角部において、角部の内角が小さいほど、その角部に対してエッチング液が行き渡りにくい。こうした傾向は、角部の内角が鈍角である場合に比べて、角部の内角が鋭角である場合に大きい。そのため、本例では、幅広部３１ＤＷが、第１内角θ１を有した角部に広がる形状を有している。
【００６６】
本例では、ドライブ電極３１ＤＰを構成する電極線が延びる方向は、上述したように、第１線方向ＤＳ１および第２線方向ＤＳ２である。単位構造３１ＤＳの対角方向は、第１電極方向ＤＰ１および第２電極方向ＤＰ２である。ドライブ電極３１ＤＰは、複数の切れ目３１ＤＬを有している。各切れ目３１ＤＬは、ドライブ仮想格子の格子点に位置している。各切れ目３１ＤＬは、電極線の一部であって、電極線の他の一部とともに交差部を形成する部位を、当該他の一部から切り離す。これによって、ドライブ仮想格子の形状によれば幅広部３１ＤＷが形成される部位に幅広部３１ＤＷが形成されないようにしている。
【００６７】
本例では、上述したように、２つの内角が鋭角であることから、ドライブ仮想格子の単位構造３１ＤＳが正方形状である場合に比べて、幅の広い幅広部３１ＤＷが形成されやすい。こうしたタッチセンサ用電極２１において、電極線の延びる方向ＤＳ１，ＤＳ２、および、対角方向ＤＰ１，ＤＰ２において等間隔で並ぶ幅広部３１ＤＷの個数が１０個以下であるように、複数の切れ目３１ＤＬが格子点上に位置するため、切れ目３１ＤＬによる効果がより顕著である。
【００６８】
本例では、第１線方向ＤＳ１および第２線方向ＤＳ２において、単位構造３１ＤＳの間隔で並ぶ幅広部３１ＤＷの個数が４個以下である。また、第１電極方向ＤＰ１および第２電極方向ＤＰ２において、単位構造３１ＤＳの間隔で並ぶ幅広部３１ＤＷの個数が３個以下である。
【００６９】
複数の切れ目３１ＤＬは、幅広部３１ＤＷの並びにおいて上述した状態を満たすように、各ノードＮＤ内において不規則に位置している。ドライブ電極３１ＤＰにおいて、１つのノードＮＤが繰り返しの単位領域であることから、複数のノードＮＤ間では、ノードＮＤ内における同一の位置に複数の切れ目３１ＤＬが配置されている。
【００７０】
なお、ドライブ電極３１ＤＰが有する複数の切れ目３１ＤＬには、幅広部３１ＤＷの並びにおいて所定の状態を満たす機能に加えて、選択回路３４に接続される被選択電極線３１ＤＥと、選択回路３４に接続されないダミー電極線３１ＤＤとを分離する機能を有する切れ目３１ＤＬが含まれる。このように、ドライブ電極３１ＤＰは、各ノードＮＤ内に、静電容量を測定する選択回路３４に接続された被選択電極線３１ＤＥと、被選択電極線３１ＤＥから絶縁されたダミー電極線３１ＤＤとを備えている。
【００７１】
上述したように、図５において、線幅が太い電極線が被選択電極線３１ＤＥであり、線幅が細い電極線がダミー電極線３１ＤＤである。被選択電極線３１ＤＥとダミー電極線３１ＤＤとの境界に位置する切れ目３１ＤＬが、ドライブ電極３１ＤＰを構成する電極線を被選択電極線３１ＤＥとダミー電極線３１ＤＤとに分離する機能を有した切れ目３１ＤＬである。
【００７２】
こうした切れ目３１ＤＬによれば、ドライブ電極３１ＤＰを構成する電極線のなかで、被選択電極線３１ＤＥとして機能する電極線の面積と、ダミー電極線３１ＤＤとして機能する電極線の面積を調整することによって、ドライブ電極３１ＤＰと、センシング電極３３ＳＰとの間における静電容量を調整することが可能である。しかしながら、電極線のなかで、被選択電極線３１ＤＥとして機能する電極線の面積を小さくするほど、ドライブ電極３１ＤＰの一端から他端まで延びる形状を有した部分の面積が小さくなる。これにより、ドライブ電極３１ＤＰにおいて、選択回路３４に対する接続の信頼性が低下しやすくなる。
【００７３】
この点で、本例では、被選択電極線３１ＤＥが、第１電極方向ＤＰ１に沿って、ドライブ電極３１ＤＰの一端から他端までにわたって延びる形状を有した部分である延設線３１ＤＥＥを４本有している。ドライブ電極３１ＤＰが有する複数の切れ目３１ＤＬは、被選択電極線３１ＤＥが、延設線３１ＤＥＥを４本有するように、ノードＮＤ内において不規則に配置されている。これにより、たとえ延設線３１ＤＥＥにおける特定の１本が切断されたとしても、他の延設線３１ＤＥＥによって、選択回路３４に対するドライブ電極３１ＤＰの接続が、第２電極方向ＤＰ２におけるドライブ電極３１ＤＰの一端から他端までにわたって維持される。
【００７４】
さらに、ドライブ電極３１ＤＰは、第１電極方向ＤＰ１において互いに隣り合う延設線３１ＤＥＥを接続する接続線３１ＤＥＣを有している。接続線３１ＤＥＣは、第１電極方向ＤＰ１において互いに隣り合う延設線３１ＤＥＥ間に、隙間を空けて３本ずつ位置している。ドライブ電極３１ＤＰが有する複数の切れ目３１ＤＬは、接続線３１ＤＥＣが、第１電極方向ＤＰ１において互いに隣り合う延設線３１ＤＥＥ間に３本ずつ位置するように、ノードＮＤ内において不規則に配置されている。これにより、たとえ延設線３１ＤＥＥにおける特定の１本が切断されたとしても、切断された延設線３１ＤＥＥの一部が、他の延設線３１ＤＥＥを通じて選択回路３４に接続することができる可能性が高まる。
【００７５】
被選択電極線３１ＤＥは、上述したように、第２電極方向ＤＰ２に沿って延びる４本の延設線３１ＤＥＥが、複数の接続線３１ＤＥＣによって接続されることによって、ノードＮＤにおけるほぼ全体に広がる帯状を有している。なお、各ノードＮＤにおいて、第１電極方向ＤＰ１における両端に位置する延設線３１ＤＥＥは、ダミー電極線３１ＤＤを介して第１電極方向ＤＰ１において隣り合うノードＮＤに含まれる延設線３１ＤＥＥと隣り合っている。そのため、各ノードＮＤにおける延設線３１ＤＥＥ、ひいては、各ドライブ電極３１ＤＰは、第１電極方向ＤＰ１において隣り合うドライブ電極３１ＤＰに対して電気的に接続されていない。
【００７６】
図６は、タッチセンサ用電極２１の第１例が備えるセンシング電極３３ＳＰのなかで、１つのノードＮＤ内に位置する電極線を示している。なお、図６では、センシング電極３３ＳＰにおいて、検出回路３５に接続される被検出電極線と、検出回路３５に接続されないダミー電極線との区別を容易にする目的で、被検出電極線の線幅が、ダミー電極線の線幅よりも太い。ただし、実際には、被検出電極線の線幅はダミー電極線の線幅と等しい。
【００７７】
図６が示すように、センシング電極３３ＳＰは、菱形を有する単位構造３３ＳＳが隙間なく繰り返されたセンシング仮想格子上に位置している。センシング仮想格子を構成する単位構造３３ＳＳは、ドライブ仮想格子を構成する単位構造３１ＤＳと、同一の形状、かつ、同一の大きさである。センシング電極３３ＳＰは、１つのノードＮＤを繰り返しの単位領域として、複数の単位領域から構成されている。
【００７８】
各センシング電極３３ＳＰは、第２電極方向ＤＰ２において互いに隣り合うセンシング電極３３ＳＰに対して電気的に接続されていない状態で、第２電極方向ＤＰ２に沿って並んでいる。各センシング電極３３ＳＰは、１つのセンシング仮想格子のなかで互いに異なる領域上に位置している。センシング仮想格子の単位構造３３ＳＳは、ドライブ電極３１ＤＰにおける単位構造３１ＤＳと同様、一辺が２００μｍ以上１０００μｍ以下の菱形である。各ノードＮＤ内において、センシング仮想格子内での格子点は、２０個以上１３００個以下である。本例では、センシング電極３３ＳＰを構成する電極線においてセンシング仮想格子の格子点に対応する部分として、折れ線部の屈曲部、直線部の一部、および、直線部と直線部との交差部を挙げることができる。
【００７９】
単位構造３３ＳＳは、上述した単位構造３１ＤＳと同様、二対の辺から構成されている。一方の対を構成する辺が第１線方向ＤＳ１に沿って延び、かつ、他方の対を構成する辺が第２線方向ＤＳ２に沿って延びている。単位構造３３ＳＳにおいて、第１電極方向ＤＰ１において互いに隣り合う第１内角θ１の大きさが互いに等しく、かつ、第２電極方向ＤＰ２において互いに隣り合う第２内角θ２の大きさが互いに等しい。本例では、第１内角θ１が鋭角であり、かつ、第２内角θ２が鈍角である。なお、上述したように、単位構造３３ＳＳは、上述した単位構造３１ＤＳと同一の形状、かつ、同一の大きさであることから、単位構造３３ＳＳの第１内角θ１は、単位構造３１ＤＳの第１内角θ１と等しく、かつ、単位構造３３ＳＳの第２内角θ２は、単位構造３１ＤＳの第２内角θ２と等しい。
【００８０】
センシング電極３３ＳＰが位置するセンシング仮想格子は、ドライブ電極３１ＤＰが位置するドライブ仮想格子に対して、第１電極方向ＤＰ１および第２電極方向ＤＰ２の両方において、単位構造３３ＳＳの１／２ピッチだけずれている。
【００８１】
センシング電極３３ＳＰを構成する電極線は、センシング仮想格子の格子点に位置する電極線同士の交差部に幅広部３３ＳＷを備えている。幅広部３３ＳＷは、透明誘電体基板３３と対向する方向から見て、センシング電極３３ＳＰにおける幅広部３３ＳＷ以外の部分に比べて線幅が太い。センシング電極３３ＳＰを構成する電極線は、幅広部３３ＳＷと幅狭部３３ＳＮとから構成されている。幅狭部３３ＳＮにおける線幅は、例えば１μｍ以上７μｍ以下である。なお、幅狭部３３ＳＮは、電極線の線幅として設計された設計値に応じた線幅を有した部位である。
【００８２】
センシング電極３３ＳＰにおいて、幅広部３３ＳＷを挟む二本の電極線が形成する角度は鋭角である。幅広部３３ＳＷは、センシング仮想格子の格子点に位置し、かつ、単位構造３３ＳＳにおける第１内角θ１を有した角部に広がる形状を有している。ドライブ電極３１ＤＰの説明にて上述したように、センシング電極３３ＳＰにおいても、センシング電極３３ＳＰを形成する際に用いられるウェットエッチングのために、単位構造３３ＳＳにおいて、幅広部３３ＳＷが、第１内角θ１を有した角部に広がる形状を有している。
【００８３】
本例では、センシング電極３３ＳＰを構成する電極線が延びる方向は、上述したように、第１線方向ＤＳ１および第２線方向ＤＳ２である。単位構造３３ＳＳの対角方向は、第１電極方向ＤＰ１および第２電極方向ＤＰ２である。各切れ目３３ＳＬは、電極線の一部であって、電極線の他の一部とともに交差部を構成する部位を、当該他の一部から切り離す。これによって、センシング仮想格子の形状によれば幅広部３３ＳＷが形成される部位に幅広部３３ＳＷが形成されないようにしている。
【００８４】
本例では、第１線方向ＤＳ１および第２線方向ＤＳ２において、単位構造３３ＳＳの間隔で並ぶ幅広部３３ＳＷの個数が３個以下である。また、第１電極方向ＤＰ１および第２電極方向ＤＰ２において、単位構造３３ＳＳの間隔で並ぶ幅広部３３ＳＷの個数も３個以下である。
【００８５】
複数の切れ目３３ＳＬは、幅広部３３ＳＷの並びにおいて上述した状態を満たすように各ノードＮＤ内において不規則に位置している。センシング電極３３ＳＰにおいて、１つのノードＮＤが繰り返しの単位領域であることから、複数のノードＮＤ間では、ノードＮＤ内における同一の位置に複数の切れ目３３ＳＬが配置されている。
【００８６】
なお、センシング電極３３ＳＰが有する複数の切れ目３３ＳＬには、幅広部３３ＳＷの並びにおいて所定の状態を満たす機能に加えて、検出回路３５に接続される被検出電極線３３ＳＥと、検出回路３５に接続されないダミー電極線３３ＳＤとを分離する機能を有する切れ目３３ＳＬが含まれる。このように、センシング電極３３ＳＰは、各ノードＮＤ内に、静電容量を測定する検出回路３５に接続された被検出電極線３３ＳＥと、被検出電極線３３ＳＥから絶縁されたダミー電極線３３ＳＤとを備えている。
【００８７】
上述したように、図６において、線幅が太い電極線が被検出電極線３３ＳＥであり、線幅が細い電極線がダミー電極線３３ＳＤである。被検出電極線３３ＳＥとダミー電極線３３ＳＤとの境界に位置する切れ目３３ＳＬが、センシング電極３３ＳＰを構成する電極線を被検出電極線３３ＳＥとダミー電極線３３ＳＤとに分離する機能を有した切れ目３３ＳＬである。
【００８８】
こうした切れ目３３ＳＬによれば、センシング電極３３ＳＰを構成する電極線のなかで被検出電極線３３ＳＥとして機能する電極線の面積と、ダミー電極線３３ＳＤとして機能する電極線の面積を調整することによって、センシング電極３３ＳＰと、ドライブ電極３１ＤＰとの間における静電容量を調整することが可能である。しかしながら、電極線のなかで、被検出電極線３３ＳＥとして機能する電極線の面積を小さくするほど、センシング電極３３ＳＰの一端から他端まで延びる形状を有した部分の面積が小さくなる。これにより、センシング電極３３ＳＰにおいて、検出回路３５に対する接続の信頼性が低下しやすくなる。
【００８９】
この点で、本例では、被検出電極線３３ＳＥが、第１電極方向ＤＰ１に沿って、センシング電極３３ＳＰの一端から他端までにわたって延びる形状を有した部分である６本の延設線３３ＳＥＥを有している。センシング電極３３ＳＰが有する複数の切れ目３３ＳＬは、被検出電極線３３ＳＥが、延設線３３ＳＥＥを６本有するように、ノードＮＤ内において不規則に配置されている。これにより、たとえ延設線３３ＳＥＥにおける特定の１本が切断されたとしても、他の延設線３３ＳＥＥによって、検出回路３５に対するセンシング電極３３ＳＰの接続が、第１電極方向ＤＰ１におけるセンシング電極３３ＳＰの一端から他端までにわたって維持される。
【００９０】
さらに、センシング電極３３ＳＰは、第２電極方向ＤＰ２において互いに隣り合う延設線３３ＳＥＥを接続する接続線３３ＳＥＣを有している。各延設線群において、接続線３３ＳＥＣは、第２電極方向ＤＰ２において互いに隣り合う延設線３３ＳＥＥ間に３本ずつ位置している。センシング電極３３ＳＰが有する複数の切れ目３３ＳＬは、接続線３３ＳＥＣが、第２電極方向ＤＰ２において互いに隣り合う延設線３３ＳＥＥ間に３本ずつ位置するように、ノードＮＤ内において不規則に配置されている。これにより、たとえ延設線３３ＳＥＥにおける特定の１本が切断されたとしても、切断された延設線３３ＳＥＥの一部が、他の延設線３３ＳＥＥを通じて検出回路３５に接続することができる可能性が高まる。
【００９１】
センシング電極３３ＳＰは、各ノードＮＤ内に、被検出電極線３３ＳＥが囲む領域である第１領域３３ＳＲ１と、第１領域３３ＳＲ１よりも外側の領域である第２領域３３ＳＲ２とを備えている。第１領域３３ＳＲ１内に、２つ以上の切れ目３３ＳＬが不規則に位置している。
【００９２】
ドライブ電極３１ＤＰとセンシング電極３３ＳＰとの間の静電容量の大きさに対するダミー電極線３３ＳＤの寄与は、無視できる程度に小さい。そのため、ダミー電極線３３ＳＤには、静電容量の大きさに制約されずに、比較的自由に複数の切れ目３３ＳＬを配置することが可能である。本例では、第１領域３３ＳＲ１に含まれる切れ目３３ＳＬ、すなわち、ダミー電極線３３ＳＤを被検出電極線３３ＳＥから切り離すための切れ目３３ＳＬも不規則に位置している。そのため、第１領域３３ＳＲ１においても、幅広部３３ＳＷの並びにおける規則性とブラックマトリクス１５ａの並びにおける規則性とに起因したモアレが生じることが抑えられる。
【００９３】
本例において、１つのノードＮＤ内に、２つの第１領域３３ＳＲ１が含まれている。いずれの第１領域３３ＳＲ１内にも、被検出電極線３３ＳＥから切れ目３３ＳＬによって切り離されたダミー電極線３３ＳＤが含まれている。
【００９４】
付言すると、本例におけるセンシング電極３３ＳＰでは、各ノードＮＤ内において、第１領域３３ＳＲ１の開口率と、第２領域３３ＳＲ２の開口率との差が、０．０３５％であるように、電極線の切れ目３３ＳＬが位置している。
【００９５】
開口率とは、ノードＮＤの面積（Ａ１）に対する、そのノードＮＤに属する電極線以外の領域である透光領域の面積（Ａ２）の百分率（Ａ２／Ａ１×１００）である。センシング電極３３ＳＰにおける接続の信頼性を高く維持する上では、センシング電極３３ＳＰを構成する電極線のなかで、延設線３３ＳＥＥとして機能する面積が大きいことが好ましい。一方で、ダミー電極線３３ＳＤは、被検出電極線３３ＳＥが有するような制約を有しないことから、ダミー電極線３３ＳＤにおける開口率は、ダミー電極線３３ＳＤを構成する電極線における任意の位置に切れ目３３ＳＬを形成することで、被検出電極線３３ＳＥの開口率よりも容易に変更することが可能である。これにより、タッチパネル２０が操作面２０Ｓと対向する方向から視認された際に、第１領域３３ＳＲ１の明るさと、第２領域３３ＳＲ２の明るさとの違いが、人間によって知覚可能な程度に異なる場合がある。
【００９６】
上述したように、センシング電極３３ＳＰでは、幅広部３３ＳＷの並びにおいて上述した状態を満たす上で、第１領域３３ＳＲ１にも複数の切れ目３３ＳＬを配置されている。これにより、第１領域３３ＳＲ１の開口率と、第２領域３３ＳＲ２の開口率との差が０．０３５％である。結果として、タッチパネル２０が操作面２０Ｓと対向する方向から視認された際に、第１領域３３ＳＲ１の明るさと、第２領域３３ＳＲ２の明るさとの違いが知覚されない程度に、第１領域３３ＳＲ１の明るさと第２領域３３ＳＲ２の明るさとの差を抑えることが可能である。これにより、表示装置１００の表示における品位の低下が抑えられる。
【００９７】
被検出電極線３３ＳＥは、上述したように、第１電極方向ＤＰ１に沿って延びる６本の延設線３３ＳＥＥが、複数の接続線３３ＳＥＣで接続されることによって、第１電極方向ＤＰ１に沿って延びる帯状を有している。なお、各ノードＮＤにおいて、第２電極方向ＤＰ２における両端に位置する延設線３３ＳＥＥは、ダミー電極線３３ＳＤを介して第２電極方向ＤＰ２において隣り合うノードＮＤに含まれる延設線３３ＳＥＥと隣り合っている。そのため、各ノードＮＤにおける延設線３３ＳＥＥ、ひいては、各センシング電極３３ＳＰは、第２電極方向ＤＰ２において隣り合うセンシング電極３３ＳＰに対して電気的に接続されていない。
【００９８】
図７は、ドライブ電極３１ＤＰ上にセンシング電極３３ＳＰが積み重なったタッチセンサ用電極２１を、タッチセンサ用電極２１が広がる平面と対向する方向から見た構造を示している。
【００９９】
図７が示すように、センシング電極３３ＳＰは、センシング電極３３ＳＰが位置するセンシング仮想格子が、ドライブ電極３１ＤＰが位置するドライブ仮想格子に対して第１電極方向ＤＰ１および第２電極方向ＤＰ２の両方において、単位構造３３ＳＳの１／２だけずれるように、ドライブ電極３１ＤＰに重なっている。これにより、センシング電極層とドライブ電極層とが、重畳格子を構成している。重畳格子には、センシング電極３３ＳＰを構成する電極線と、ドライブ電極３１ＤＰを構成する電極線とによって形成される単位構造２１ＵＳが、第１電極方向ＤＰ１および第２電極方向ＤＰ２の両方において隙間なく並んでいる。重畳格子の単位構造２１ＵＳは、各仮想格子の単位構造３１ＤＳ，３３ＳＳである菱形よりも小さい菱形である。
【０１００】
単位構造２１ＵＳは、ドライブ仮想格子の単位構造３１ＤＳ、および、センシング仮想格子の単位構造３３ＳＳと相似であり、かつ、単位構造２１ＵＳは、各単位構造３１ＤＳ，３３ＳＳに対する１／４の大きさを有している。タッチセンサ用電極２１は、菱形を有した単位構造２１ＵＳが隙間なく並んだ重畳格子である。重畳格子では、第１線方向ＤＳ１、第２線方向ＤＳ２、第１電極方向ＤＰ１、および、第２電極方向ＤＰ２の全ての方向において、ドライブ仮想格子の格子点と、センシング仮想格子の格子点とが、交互に並んでいる。
【０１０１】
単位構造２１ＵＳは、各単位構造３１ＤＳ，３３ＳＳに対する１／４の大きさを有する。第１線方向ＤＳ１および第２線方向ＤＳ２において重畳格子の格子点における間隔は、１００μｍ以上５００μｍ以下である。
【０１０２】
タッチセンサ用電極２１では、各ノードＮＤ内において、電極線が延びる方向に重畳格子の格子点の間隔で連続する幅広部３１ＤＷ，３３ＳＷの個数がノードＮＤ内において１０個以下であるように、各仮想格子の格子点に電極線の切れ目３１ＤＬ，３３ＳＬが位置している。さらには、重畳格子を構成する単位構造２１ＵＳの対角方向に重畳格子の格子点の間隔で連続する幅広部３１ＤＷ，３３ＳＷの個数がノードＮＤ内において１０個以下であるように、各仮想格子の格子点に電極線の切れ目３１ＤＬ，３３ＳＬが位置している。
【０１０３】
金属製の薄膜をウェットエッチングすることによって格子を形成する場合には、格子を構成する単位構造３１ＤＳ，３３ＳＳの交差部にエッチング液が侵入しにくい。これにより、交差部における線幅が、交差部以外の部分に比べて大きく傾向を有する。一方で、単位構造３１ＤＳ，３３ＳＳが有する交差部は所定の規則で並ぶため、タッチセンサ用電極２１を備えるタッチパネル２０が表示パネル１０に重ねられた場合に、交差部の並びにおける規則性と、カラーフィルタ層１５が備えるブラックマトリクス１５ａの並びにおける規則性とに起因して、モアレが生じることがある。しかも、モアレにおけるコントラストは、交差部における線幅が大きいほど強くなる傾向を有する。
【０１０４】
本例のタッチセンサ用電極２１によれば、電極線が延びる方向、および、対角方向の両方において、重畳格子の格子点の間隔で並ぶ幅広部３１ＤＷ，３３ＳＷの個数が１０個以下であるように、電極線の切れ目３１ＤＬ，３３ＳＬが格子点上に存在する。そのため、幅広部３１ＤＷ，３３ＳＷの並びにおける規則性と、ブラックマトリクス１５ａの並びにおける規則性とに起因して、モアレが生じることが抑えられる。結果として、こうしたタッチセンサ用電極２１を備えるタッチパネル２０と表示パネル１０との積層体である表示装置１００において、表示の品位における低下が抑えられる。
【０１０５】
上述したように、本例では、電極線が延びる方向が第１線方向ＤＳ１および第２線方向ＤＳ２であり、かつ、対角方向が第１電極方向ＤＰ１および第２電極方向ＤＰ２である。そのため、タッチセンサ用電極２１では、第１線方向ＤＳ１および第２線方向ＤＳ２のそれぞれにおいて、重畳格子の格子点の間隔で並ぶ幅広部３１ＤＷ，３３ＳＷの個数が１０個以下であり、かつ、第１電極方向ＤＰ１および第２電極方向ＤＰ２のそれぞれにおいて、重畳格子の格子点の間隔で並ぶ幅広部３１ＤＷ，３３ＳＷの個数が１０個以下である。
【０１０６】
ドライブ電極３１ＤＰでは、各方向において単位構造３１ＤＳの間隔で並ぶ幅広部３１ＤＷの個数が４個以下である。一方で、センシング電極３３ＳＰでは、各方向において単位構造３３ＳＳの間隔で並ぶ幅広部３３ＳＷの個数が３個以下である。そして、タッチセンサ用電極２１では、各方向において重畳格子の格子点、すなわち単位構造２１ＵＳの間隔で並ぶ幅広部３１ＤＷ，３３ＳＷの個数は、１０個を超えないように構成されている。本例では、各方向において、交差部のピッチで並ぶ幅広部３１ＤＷ，３３ＳＷの個数が４個以下であるように、ドライブ電極３１ＤＰおよびセンシング電極３３ＳＰの各々が複数の切れ目３１ＤＬ，３３ＳＬを有している。
【０１０７】
なお、ドライブ電極３１ＤＰおよびセンシング電極３３ＳＰのいずれか一方のみが複数の切れ目３１ＤＬ，３３ＳＬを有する場合に比べて、重畳格子の格子点の間隔で並ぶ幅広部３１ＤＷ，３３ＳＷの個数を１０個以下にするための切れ目３１ＤＬ，３３ＳＬの位置における自由度を高めることができる。これにより、ドライブ電極３１ＤＰとセンシング電極３３ＳＰとの間に求められる静電容量の大きさなどに応じて、ドライブ電極３１ＤＰにおける切れ目３１ＤＬの配置、および、センシング電極３３ＳＰにおける切れ目３３ＳＬの配置におけるバリエーションを増やすことができる。
【０１０８】
タッチセンサ用電極２１は、好ましくは以下の条件を満たす。すなわち、タッチセンサ用電極２１では、第１線方向ＤＳ１、第２線方向ＤＳ２、第１電極方向ＤＰ１、および、第２電極方向ＤＰ２のそれぞれにおいて、ドライブ仮想格子の単位構造３１ＤＳの間隔で並ぶ幅広部３１ＤＷの個数が１０個以下である。また、タッチセンサ用電極２１では、第１線方向ＤＳ１、第２線方向ＤＳ２、第１電極方向ＤＰ１、および、第２電極方向ＤＰ２のそれぞれにおいて、センシング仮想格子の単位構造３３ＳＳの間隔で並ぶ幅広部３３ＳＷの個数が１０個以下である。これにより、単位構造３１ＤＳ，３３ＳＳの並びにおける規則性と、カラーフィルタ層１５のブラックマトリクス１５ａの並びにおける規則性とに起因するモアレも抑えることが可能である。
【０１０９】
本例では、上述したように、各方向において単位構造３１ＤＳの間隔で並ぶ幅広部３１ＤＷの個数が４個以下である。一方で、各方向において単位構造３３ＳＳの間隔で並ぶ幅広部３３ＳＷの個数が３個以下である。
【０１１０】
タッチセンサ用電極２１において、被選択電極線３１ＤＥと、被検出電極線３３ＳＥとが重なる領域が、容量形成領域である。タッチセンサ用電極２１に対する人の指などの対象との距離が変化することによって、容量形成領域において形成される静電容量が変化する。こうした静電容量の変化が検出されることに基づいて、タッチセンサ用電極２１における対象の接触位置が検出される。
【０１１１】
［第２例］
図８は、タッチセンサ用電極２１の第２例が備えるドライブ電極３１ＤＰのなかで、１つのノードＮＤ内に位置する電極線を示している。タッチセンサ用電極２１の第２例におけるドライブ電極３１ＤＰは、タッチセンサ用電極２１の第１例におけるドライブ電極３１ＤＰに対して、ドライブ仮想格子に対して設定された切れ目３１ＤＬの位置が異なっている。そのため、以下では、タッチセンサ用電極２１の第１例との相違点を詳しく説明する一方で、第１例との共通点の説明を省略する。なお、図８では、図５と同様、ドライブ電極３１ＤＰが含む被選択電極線とダミー電極線との区別を容易にする目的で、被選択電極線の線幅が、ダミー電極線の線幅よりも太い。ただし、実際には、被選択電極線の線幅はダミー電極線の線幅と等しい。
【０１１２】
図８が示すように、ドライブ電極３１ＤＰは、第１例と同様、菱形を有する単位構造３１ＤＳが隙間なく繰り返されたドライブ仮想格子上に位置している。単位構造３１ＤＳは、一辺が２００μｍ以上１０００μｍ以下である菱形である。各ノードＮＤ内において、ドライブ仮想格子内での格子点は、２０個以上１３００個以下である。単位構造３１ＤＳにおいて、第１内角θ１が鋭角であり、かつ、第２内角θ２が鈍角である。本例では、第１内角θ１が７３°であり、かつ、第２内角θ２が１０７°である。
【０１１３】
ドライブ電極３１ＤＰを構成する電極線は、ドライブ仮想格子の格子点に位置する電極線同士の交差部に幅広部３１ＤＷを備えている。ドライブ電極３１ＤＰは、幅広部３１ＤＷと幅狭部３１ＤＮとから構成されている。
【０１１４】
複数の幅広部３１ＤＷは、第１幅広部３１ＤＷ１と第２幅広部３１ＤＷ２とを含んでいる。第１幅広部３１ＤＷ１は、対角方向において互いに隣り合う２つの単位構造３１ＤＳに広がる形状を有している。第２幅広部３１ＤＷ２は、対角方向において互いに隣り合う２つの単位構造３１ＤＳのうちの一方のみに広がる形状を有している。各ノードＮＤにおいて、第１幅広部３１ＤＷ１の個数が、第２幅広部３１ＤＷ２の個数よりも少ない。
【０１１５】
上述したように、幅広部３１ＤＷは第１内角θ１を有した角部に広がる形状を有することから、第１電極方向ＤＰ１において互いに隣り合う２つの単位構造３１ＤＳが互いに接する角部のそれぞれに向けて広がる形状を幅広部３１ＤＷが有することがある。これに対して、第２幅広部３１ＤＷ２は、第１電極方向ＤＰ１において互いに隣り合う２つの単位構造３１ＤＳが互いに接する角部の一方のみに広がる形状を有している。なお、タッチセンサ用電極２１の第１例におけるドライブ電極３１ＤＰが有する幅広部３１ＤＷは、第２幅広部３１ＤＷ２に対応する。
【０１１６】
所定の間隔で並ぶ幅広部３１ＤＷにおいて、幅広部３１ＤＷの線幅が広いほど、タッチセンサ用電極２１と、カラーフィルタ層１５のブラックマトリクス１５ａとに由来するモアレのコントラストは強くなる傾向を有する。この点で、本例では、第１幅広部３１ＤＷ１の個数が第２幅広部３１ＤＷ２の個数よりも少ないため、各幅広部３１ＤＷ１，３１ＤＷ２に由来するモアレが生じたとしても、第１幅広部３１ＤＷ１の個数が第２幅広部３１ＤＷ２以上である場合に比べて、強いコントラストを有したモアレが生じにくくなる。
【０１１７】
加えて、第１幅広部３１ＤＷ１の個数が第２幅広部３１ＤＷ２の個数よりも少ないため、第１幅広部３１ＤＷ１の個数が第２幅広部３１ＤＷ２以上である場合に比べて、ドライブ電極３１ＤＰの開口率を高めることもできる。
【０１１８】
ドライブ電極３１ＤＰは、複数の切れ目３１ＤＬを有している。各切れ目３１ＤＬは、電極線の一部であって、電極線の他の一部とともに交差部を形成する部位を、当該他の一部から切り離す。これによって、ドライブ仮想格子の形状によれば幅広部３１ＤＷが形成される部位に幅広部３１ＤＷが形成されないようにしている。本例では、第１線方向ＤＳ１および第２線方向ＤＳ２において、単位構造３１ＤＳの間隔で並ぶ幅広部３１ＤＷの個数が４個以下である。また、第１電極方向ＤＰ１および第２電極方向ＤＰ２において、単位構造３１ＤＳの間隔で並ぶ幅広部３１ＤＷの個数が８個以下である。
【０１１９】
本例では、複数の切れ目３１ＤＬが、さらに、単位構造３１ＤＳが備える辺が第１線方向ＤＳ１に沿って延びる途中に位置する切れ目３１ＤＬ、および、第２線方向ＤＳ２に沿って延びる途中に位置する切れ目３１ＤＬを含んでいる。こうした切れ目３１ＤＬは、幅狭部３１ＤＮが延びる途中に位置している。こうした切れ目３１ＤＬは、ドライブ電極３１ＤＰに含まれる幅広部３１ＤＷの数を調整する機能ではなく、ドライブ電極３１ＤＰのなかで被選択電極線３１ＤＥとして機能する電極線の面積を調整することによって、ドライブ電極３１ＤＰとセンシング電極３３ＳＰとの間の静電容量を調整する機能を有する。
【０１２０】
ドライブ電極３１ＤＰは、各ノードＮＤ内に、選択回路３４に接続される被選択電極線３１ＤＥと、被選択電極線３１ＤＥから絶縁されたダミー電極線３１ＤＤとを備えている。本例では、被選択電極線３１ＤＥが、３本の延設線３１ＤＥＥを備えている。各延設線３１ＤＥＥは、第２電極方向ＤＰ２に沿って延び、複数の屈曲点を有する折れ線状を有している。第１電極方向ＤＰ１において、２本の延設線３１ＤＥＥに挟まれる１本の延設線３１ＤＥＥは、当該延設線３１ＤＥＥの一部において、第１電極方向ＤＰ１において隣り合う延設線３１ＤＥＥに接続されている。加えて、第１電極方向ＤＰ１において、２本の延設線３１ＤＥＥに挟まれる１本の延設線３１ＤＥＥは、第１電極方向ＤＰ１において隣り合う延設線３１ＤＥＥに対して、複数の接続線３１ＤＥＣを介して接続されている。
【０１２１】
これにより、たとえ延設線３１ＤＥＥにおける特定の１本が切断されたとしても、他の延設線３１ＤＥＥによって、選択回路３４に対するドライブ電極３１ＤＰの接続が、第２電極方向ＤＰ２におけるドライブ電極３１ＤＰの一端から他端までにわたって維持される。また、たとえ延設線３１ＤＥＥにおける特定の１本が切断されたとしても、切断された延設線３１ＤＥＥの一部が、他の延設線３１ＤＥＥを通じて選択回路３４に接続することができる可能性が高まる。
【０１２２】
３本の延設線３１ＤＥＥのなかで、第１電極方向ＤＰ１における端に位置する２本の延設線３１ＤＥＥは、被選択電極線３１ＤＥが囲む第１領域３１ＤＲ１の外形を形成している。第１領域３１ＤＲ１の外形は、第２電極方向ＤＰ２に沿って延びる帯状を有している。第１領域３１ＤＲ１の外形は、第１電極方向ＤＰ１に沿う幅が第１の幅である略矩形の領域をノードＮＤの中央部において含み、かつ、略矩形の領域から第２電極方向ＤＰ２における端に向けて、第１電極方向ＤＰ１に沿う幅が第１の幅から第２の幅まで太くなる形状を有している。各ノードＮＤでは、第１電極方向ＤＰ１において、１つの第１領域３１ＤＲ１が、２つの第２領域３１ＤＲ２に挟まれている。
【０１２３】
第１領域３１ＤＲ１には、被選択電極線３１ＤＥと、ダミー電極線３１ＤＤとが含まれている。第１領域３１ＤＲ１において、２つ以上の切れ目３１ＤＬが不規則に位置している。また、ドライブ電極３１ＤＰにおいて、第１領域３１ＤＲ１の開口率と、第２領域３１ＤＲ２の開口率との差が０．１４％であるように、複数の切れ目３１ＤＬが位置している。
【０１２４】
各第２領域３１ＤＲ２は、ダミー電極線３１ＤＤでもあることから、各ノードＮＤの延設線３１ＤＥＥは、ダミー電極線３１ＤＤを介して第１電極方向ＤＰ１において隣り合うノードＮＤにおける延設線３１ＤＥＥと隣り合っている。そのため、各ノードＮＤにおける延設線３１ＤＥＥ、ひいては、各ドライブ電極３１ＤＰは、第１電極方向ＤＰ１において隣り合うドライブ電極３１ＤＰに対して電気的に接続されていない。
【０１２５】
図９は、タッチセンサ用電極２１の第２例が備えるセンシング電極３３ＳＰのなかで、１つのノードＮＤ内に位置する電極線を示している。なお、図９では、図６と同様、センシング電極３３ＳＰが含む被検出電極線とダミー電極線との区別を容易にする目的で、被検出電極線の線幅が、ダミー電極線の線幅よりも太い。ただし、実際には、被検出電極線の線幅はダミー電極線の線幅と等しい。
【０１２６】
図９が示すように、センシング電極３３ＳＰは、第１例と同様、菱形を有する単位構造３３ＳＳが隙間なく繰り返されたセンシング仮想格子上に位置している。単位構造３３ＳＳは、一辺が２００μｍ以上１０００μｍ以下である菱形である。センシング仮想格子の単位構造３３ＳＳは、ドライブ仮想格子の単位構造３１ＤＳと同じ形状であり、かつ、同じ大きさである。各ノードＮＤ内において、センシング仮想格子内での格子点は、２０個以上１３０個以下である。単位構造３３ＳＳにおいて、第１内角θ１が鋭角であり、かつ、第２内角θ２が鈍角である。第１内角θ１は、ドライブ電極３１ＤＰの第１内角θ１に等しく、かつ、第２内角θ２は、ドライブ電極３１ＤＰの第２内角θ２に等しい。
【０１２７】
センシング電極３３ＳＰが位置するセンシング仮想格子は、ドライブ電極３１ＤＰが位置するドライブ仮想格子に対して、第１電極方向ＤＰ１および第２電極方向ＤＰ２の両方において、単位構造３３ＳＳの１／２ピッチだけずれている。
【０１２８】
センシング電極３３ＳＰを構成する電極線は、センシング仮想格子の格子点に位置する電極線同士の交差部に幅広部３３ＳＷを備えている。センシング電極３３ＳＰは、幅広部３３ＳＷと幅狭部３３ＳＮとから構成されている。
【０１２９】
複数の幅広部３３ＳＷは、第１幅広部３３ＳＷ１と第２幅広部３３ＳＷ２とを含んでいる。第１幅広部３３ＳＷ１は、ドライブ電極３１ＤＰが備える第１幅広部３３ＳＷ１と同様、対角方向において互いに隣り合う２つの単位構造３３ＳＳに広がる形状を有している。第２幅広部３３ＳＷ２は、ドライブ電極３１ＤＰが備える第２幅広部３１ＤＷ２と同様、対角方向において互いに隣り合う２つの単位構造３３ＳＳのうちの一方のみに広がる形状を有している。各ノードＮＤにおいて、第１幅広部３３ＳＷ１の個数が、第２幅広部３３ＳＷ２の個数よりも少ない。なお、タッチセンサ用電極２１の第１例におけるセンシング電極３３ＳＰが有する幅広部３３ＳＷは、第２幅広部３３ＳＷ２に対応する。
【０１３０】
センシング電極３３ＳＰは、複数の切れ目３３ＳＬを有している。各切れ目３３ＳＬは、電極線の一部であって、電極線の他の一部とともに交差部を形成する部位を、当該他の一部から切り離す。これによって、センシング仮想格子の形状によれば幅広部３３ＳＷが形成される部位に幅広部３３ＳＷが形成されないようにしている。本例では、第１線方向ＤＳ１および第２線方向ＤＳ２において、単位構造３３ＳＳの間隔で並ぶ幅広部３３ＳＷの個数が５個以下である。また、第１電極方向ＤＰ１および第２電極方向ＤＰ２において、単位構造３３ＳＳの間隔で並ぶ幅広部３３ＳＷの個数が４個以下である。
【０１３１】
本例では、ドライブ電極３１ＤＰと同様、複数の切れ目３３ＳＬが、さらに、単位構造３３ＳＳが備える辺が第１線方向ＤＳ１に沿って延びる途中に位置する切れ目３３ＳＬ、および、第２線方向ＤＳ２に沿って延びる途中に位置する切れ目３３ＳＬを含んでいる。こうした切れ目３３ＳＬは、幅狭部３３ＳＮが延びる途中に位置している。こうした切れ目３３ＳＬは、センシング電極３３ＳＰに含まれる幅広部３３ＳＷの数を調整する機能ではなく、センシング電極３３ＳＰのなかで被検出電極線３３ＳＥとして機能する電極線の面積を調整することによって、センシング電極３３ＳＰとドライブ電極３１ＤＰとの間の静電容量を調整する機能を有する。
【０１３２】
センシング電極３３ＳＰは、各ノードＮＤ内に、検出回路３５に接続される被検出電極線３３ＳＥと、被検出電極線３３ＳＥから絶縁されたダミー電極線３３ＳＤとを備えている。本例では、被検出電極線３３ＳＥが、３本の延設線３３ＳＥＥを備えている。各延設線３３ＳＥＥは、第１電極方向ＤＰ１に沿って延び、複数の屈曲点を有する折れ線状を有している。第２電極方向ＤＰ２において隣り合う延設線３３ＳＥＥは、複数の接続線３３ＳＥＣによって互いに接続されている。
【０１３３】
これにより、たとえ延設線３３ＳＥＥにおける特定の１本が切断されたとしても、他の延設線３３ＳＥＥによって、検出回路３５に対するセンシング電極３３ＳＰの接続が、第１電極方向ＤＰ１におけるセンシング電極３３ＳＰの一端から他端までにわたって維持される。また、たとえ延設線３３ＳＥＥにおける特定の１本が切断されたとしても、切断された延設線３３ＳＥＥの一部が、他の延設線３３ＳＥＥを通じて検出回路３５に接続することができる可能性が高まる。
【０１３４】
３本の延設線３３ＳＥＥのなかで、第２電極方向ＤＰ２における端に位置する２本の延設線３３ＳＥＥは、被検出電極線３３ＳＥが囲む第１領域３３ＳＲ１の外形を形成している。第１領域３３ＳＲ１の外形は、第１電極方向ＤＰ１に沿って延びる帯状を有している。第１領域３３ＳＲ１の外形は、第２電極方向ＤＰ２に沿う幅が第１の幅である略矩形の領域をノードＮＤの中央部において含み、かつ、略矩形の領域から第１電極方向ＤＰ１における端に向けて、第２電極方向ＤＰ２に沿う幅が第１の幅から第２の幅まで太くなる形状を有している。各ノードＮＤでは、第２電極方向ＤＰ２において、１つの第１領域３３ＳＲ１が、２つの第２領域３３ＳＲ２に挟まれている。
【０１３５】
第１領域３３ＳＲ１には、被検出電極線３３ＳＥと、ダミー電極線３３ＳＤとが含まれている。第１領域３３ＳＲ１において、２つ以上の切れ目３３ＳＬが不規則に位置している。また、センシング電極３３ＳＰにおいて、第１領域３３ＳＲ１の開口率と、第２領域３３ＳＲ２の開口率との差が０．１８％であるように、複数の切れ目３３ＳＬが位置している。
【０１３６】
各第２領域３３ＳＲ２は、ダミー電極線３３ＳＤでもあることから、各ノードＮＤに属する延設線３３ＳＥＥは、ダミー電極線３３ＳＤを介して第２電極方向ＤＰ２において隣り合うノードＮＤにおける延設線３３ＳＥＥと隣り合っている。そのため、各ノードＮＤにおける延設線３３ＳＥＥ、ひいては、各センシング電極３３ＳＰは、第２電極方向ＤＰ２において隣り合うセンシング電極３３ＳＰに対して電気的に接続されていない。
【０１３７】
図１０は、ドライブ電極３１ＤＰ上にセンシング電極３３ＳＰが積み重なったタッチセンサ用電極２１を、タッチセンサ用電極２１が広がる平面と対向する方向から見た構造を示している。
【０１３８】
図１０が示すように、センシング電極３３ＳＰは、センシング電極３３ＳＰが位置するセンシング仮想格子が、ドライブ電極３１ＤＰが位置するドライブ仮想格子に対して第１電極方向ＤＰ１および第２電極方向ＤＰ２の両方において、単位構造３３ＳＳの１／２だけずれるように、ドライブ電極３１ＤＰに重なっている。これにより、センシング電極層とドライブ電極層とが、重畳格子を構成している。重畳格子には、センシング電極３３ＳＰを構成する電極線と、ドライブ電極３１ＤＰを構成する電極線とによって形成される単位構造２１ＵＳが、第１電極方向ＤＰ１および第２電極方向ＤＰ２の両方において隙間なく並んでいる。重畳格子の単位構造２１ＵＳは、各仮想格子の単位構造３１ＤＳ，３３ＳＳである菱形よりも小さい菱形である。
【０１３９】
単位構造２１ＵＳは、ドライブ仮想格子の単位構造３１ＤＳ、および、センシング仮想格子の単位構造３３ＳＳと相似であり、かつ、単位構造２１ＵＳは、各単位構造３１ＤＳ，３３ＳＳに対する１／４の大きさを有している。タッチセンサ用電極２１は、菱形を有した単位構造２１ＵＳが隙間なく並んだ重畳格子である。重畳格子では、第１線方向ＤＳ１、第２線方向ＤＳ２、第１電極方向ＤＰ１、および、第２電極方向ＤＰ２の全ての方向において、ドライブ仮想格子の格子点と、センシング仮想格子の格子点とが、交互に並んでいる。
【０１４０】
第１例と同様、タッチセンサ用電極２１では、各ノードＮＤ内において、第１線方向ＤＳ１、第２線方向ＤＳ２、第１電極方向ＤＰ１、および、第２電極方向ＤＰ２の全てにおいて、重畳格子の格子点の間隔で連続する幅広部３１ＤＷ，３３ＳＷの個数が１０個以下であるように、各仮想格子の格子点に電極線の切れ目３１ＤＬ，３３ＳＬが位置している。
【０１４１】
なお、タッチセンサ用電極２１は、好ましくは以下の条件を満たす。すなわち、タッチセンサ用電極２１では、第１線方向ＤＳ１、第２線方向ＤＳ２、第１電極方向ＤＰ１、および、第２電極方向ＤＰ２のそれぞれにおいて、ドライブ仮想格子の単位構造３１ＤＳの間隔で並ぶ幅広部３１ＤＷの個数が１０個以下である。また、タッチセンサ用電極２１では、第１線方向ＤＳ１、第２線方向ＤＳ２、第１電極方向ＤＰ１、および、第２電極方向ＤＰ２のそれぞれにおいて、センシング仮想格子の単位構造３３ＳＳの間隔で並ぶ幅広部３３ＳＷの個数が１０個以下である。これにより、単位構造３１ＤＳ，３３ＳＳの並びにおける規則性と、カラーフィルタ層１５のブラックマトリクス１５ａの並びにおける規則性とに起因するモアレも抑えることが可能である。
【０１４２】
本例では、上述したように、各方向において単位構造３１ＤＳの間隔で並ぶ幅広部３１ＤＷの個数が８個以下である。一方で、各方向において単位構造３３ＳＳの間隔で並ぶ幅広部３３ＳＷの個数が５個以下である。
【０１４３】
タッチセンサ用電極２１において、被選択電極線３１ＤＥと、被検出電極線３３ＳＥとが重なる領域が、容量形成領域である。本例では、被選択電極線３１ＤＥにおける上述した略矩形の領域と、被検出電極線３３ＳＥにおける上述した略矩形の領域とが、ドライブ電極３１ＤＰにセンシング電極３３ＳＰが積み重なる方向から見て、互いに重なっている。そのため、本例では、各電極線３１ＤＥ，３３ＳＥにおける略矩形の領域同士が重なった領域が、容量形成領域である。タッチセンサ用電極２１に対する人の指などの対象との距離が変化することによって、容量形成領域において形成される静電容量が変化する。こうした静電容量の変化が検出されることに基づいて、タッチセンサ用電極２１における対象の接触位置が検出される。
【０１４４】
以上説明したように、タッチセンサ用電極、タッチパネル、および、表示装置の一実施形態によれば、以下に記載の効果を得ることができる。
（１）電極線が延びる方向、および、対角方向の両方において、等間隔で並ぶ幅広部の個数が１０個以下であるように、電極線の切れ目３１ＤＬ，３３ＳＬが格子点上に存在する。そのため、幅広部３１ＤＷ，３３ＳＷの並びにおける規則性と、ブラックマトリクス１５ａの並びにおける規則性とに起因して、モアレが生じることが抑えられる。結果として、こうしたタッチセンサ用電極２１を備えるタッチパネル２０と表示パネル１０との積層体である表示装置１００において、表示の品位における低下が抑えられる。
【０１４５】
（２）電極線が延びる方向、および、対角方向の両方において、重畳格子の格子点の間隔で連続する幅広部３１ＤＷ，３３ＳＷの個数が１０個以下であるように、電極線の切れ目３１ＤＬ，３３ＳＬが格子点上に存在する。そのため、重畳格子の格子点の間隔で連続する幅広部３１ＤＷ，３３ＳＷと、ブラックマトリクス１５ａの並びにおける規則性とに起因して、モアレが生じることが抑えられる。結果として、表示装置１００において、表示の品位における低下が抑えられる。
【０１４６】
（３）ドライブ電極層およびセンシング電極層のいずれか一方のみが複数の切れ目３１ＤＬ，３３ＳＬを有する場合に比べて、等間隔で並ぶ幅広部３１ＤＷ，３３ＳＷの個数を１０個以下にするための切れ目３１ＤＬ，３３ＳＬの位置における自由度を高めることができる。これにより、ドライブ電極層とセンシング電極層との間に求められる静電容量の大きさなどに応じて、ドライブ電極層における切れ目３１ＤＬの配置、および、センシング電極層における切れ目３３ＳＬの配置におけるバリエーションを増やすことができる。
【０１４７】
（４）第１領域３１ＤＲ１，３３ＳＲ１に複数の切れ目３１ＤＬ，３３ＳＬが不規則に位置している。そのため、第１領域３１ＤＲ１，３３ＳＲ１において、幅広部３１ＤＷ，３３ＳＷの並びにおける規則性とブラックマトリクス１５ａの並びにおける規則性とに起因したモアレが生じることが抑えられる。
【０１４８】
（５）開口率の差に起因して第１領域３１ＤＲ１，３３ＳＲ１の明るさと第２領域３１ＤＲ２，３３ＳＲ２の明るさとが、人間によって知覚可能な程度に異なることが抑えられる。これにより、表示装置１００の表示における品位の低下が抑えられる。
【０１４９】
（６）仮想格子の単位構造が正方形状である場合に比べて、幅の広い幅広部３１ＤＷ，３３ＳＷが形成されやすい。こうしたタッチセンサ用電極２１において、電極線の延びる方向、および、対角方向において等間隔で並ぶ幅広部３１ＤＷ，３３ＳＷの個数が１０個以下であるように、複数の切れ目３１ＤＬ，３３ＳＬが格子点上に位置するため、切れ目３１ＤＬ，３３ＳＬによる効果がより顕著である。
【０１５０】
（７）第１幅広部３１ＤＷ１，３３ＳＷ１の個数が第２幅広部３１ＤＷ２，３３ＳＷ２の個数以上である場合に比べて、より幅の広い幅広部の個数を少なくすることができ、結果として、強いコントラストを有したモアレが生じにくくなる。
【０１５１】
なお、上述した実施形態は、以下のように適宜変更して実施することができる。
［ドライブ電極］
・単位構造３１ＤＳの形状は、菱形以外の平行四辺形であってもよい。
【０１５２】
・ノードＮＤ内における複数の切れ目３１ＤＬの位置は、ノードＮＤ毎に異なってもよい。この場合であっても、ドライブ電極層とセンシング電極層とが構成する重畳格子において、電極線が延びる方向、および、重畳格子の単位構造における対角方向において、等間隔で並ぶ幅広部が１０個以下であれば、上述した（１）に準じた効果を得ることができる。
【０１５３】
［センシング電極］
・単位構造３３ＳＳの形状は、菱形以外の平行四辺形であってもよい。
・ノードＮＤ内における複数の切れ目３３ＳＬの位置は、ノードＮＤ毎に異なってもよい。この場合であっても、ドライブ電極層とセンシング電極層とが構成する重畳格子において、電極線が延びる方向、および、重畳格子の単位構造における対角方向において、等間隔で並ぶ幅広部が１０個以下であれば、上述した（１）に準じた効果を得ることができる。
【０１５４】
［タッチセンサ用電極］
・ドライブ仮想格子の単位構造３１ＤＳは、センシング仮想格子の単位構造３３ＳＳと同一の形状、かつ、同一の大きさでなくてもよい。ドライブ仮想格子の単位構造３１ＤＳとセンシング仮想格子の単位構造３３ＳＳとが互いに相似であり、かつ、一方の単位構造が他方の単位構造に対する整数倍の大きさを有してもよい。
【０１５５】
・タッチセンサ用電極２１において、ドライブ電極層およびセンシング電極層のいずれか一方のみが仮想格子の格子点に位置する切れ目を備えてもよい。この場合であっても、ドライブ電極層とセンシング電極層とが構成する重畳格子において、電極線が延びる方向、および、重畳格子の単位構造における対角方向において、等間隔で並ぶ幅広部が１０個以下であれば、上述した（１）に準じた効果を得ることができる。
【０１５６】
・タッチセンサ用電極２１は、電極線が延びる方向、および、重畳格子の対角方向において、重畳格子の整数倍の間隔で並ぶ幅広部３１ＤＷ，３３ＳＷの個数が１０個以下であるように、仮想格子の格子点に切れ目３１ＤＬ，３３ＳＬを備える構成でもよい。この場合にも、幅広部３１ＤＷ，３３ＳＷの並びにおける周期性と、ブラックマトリクス１５ａの並びにおける周期性とに起因するモアレが生じることが抑えられる。なお、幅広部３１ＤＷ，３３ＳＷが、１ｍｍを超えた隙間を空けて等間隔で並ぶ場合には、幅広部３１ＤＷ，３３ＳＷの並びの規則性と、ブラックマトリクス１５ａの並びの規則性とに起因するモアレは生じにくい。そのため、切れ目３１ＤＬ，３３ＳＬは、電極線が延びる方向、および、重畳格子の対角方向のそれぞれにおいて、１ｍｍ以下の隙間を空けて等間隔で並ぶ幅広部３１ＤＷ，３３ＳＷの個数が１０個以下になるように、仮想格子の格子点に位置することが好ましい。そして、幅広部３１ＤＷ，３３ＳＷが１ｍｍを超えた間隔を空けて等間隔で並ぶ場合には、等間隔で並ぶ幅広部３１ＤＷ，３３ＳＷの個数が１０個を超えてもよい。
【０１５７】
［表示装置］
・図１１が示すように、タッチパネル２０が備えるタッチセンサ用電極２１において、透明基板３１および透明接着層３２が省略されてもよい。この場合には、透明誘電体基板３３の面のなかで、表示パネル１０と対向する裏面がドライブ電極面３１Ｓである。ドライブ電極面３１Ｓには、ドライブ電極３１ＤＰが位置する。透明誘電体基板３３における裏面と反対側の面である表面が、センシング電極面３３Ｓである。センシング電極面３３Ｓには、センシング電極３３ＳＰが位置する。なお、この場合には、ドライブ電極面３１Ｓに位置するドライブ電極３１ＤＰは、例えば、透明誘電体基板３３の一方の面に形成された１つの薄膜が、エッチングによってパターニングされることにより形成される。センシング電極面３３Ｓに位置するセンシング電極３３ＳＰは、例えば、透明誘電体基板３３の他方の面に形成された１つの薄膜が、エッチングによってパターニングされることにより形成される。
【０１５８】
・図１２が示すように、タッチパネル２０において、表示パネル１０からの距離が小さい順に、ドライブ電極３１ＤＰ、透明基板３１、透明接着層３２、透明誘電体基板３３、センシング電極３３ＳＰ、透明接着層２３、および、カバー層２２が位置してもよい。
【０１５９】
この場合には、例えば、ドライブ電極３１ＤＰは、透明基板３１のドライブ電極面３１Ｓである１つの面に形成され、センシング電極３３ＳＰは、透明誘電体基板３３のセンシング電極面３３Ｓである１つの面に形成される。透明基板３１においてドライブ電極面３１Ｓとは反対側の面と、透明誘電体基板３３においてセンシング電極面３３Ｓとは反対側の面とが、透明接着層３２によって接着される。こうしたタッチパネル２０では、透明基板３１、透明接着層３２、および、透明誘電体基板３３が、透明誘電体層を構成している。
【０１６０】
・表示パネル１０とタッチパネル２０とは、個別に形成されていなくともよい。すなわち、タッチパネル２０は、表示パネル１０と一体に形成されてもよい。この場合には、例えば、タッチセンサ用電極２１のうち、複数のドライブ電極３１ＤＰがＴＦＴ層１３に位置する一方で、複数のセンシング電極３３ＳＰがカラーフィルタ基板１６と上側偏光板１７との間に位置するインセル型の表示装置とすることができる。あるいは、表示装置は、タッチセンサ用電極２１がカラーフィルタ基板１６と上側偏光板１７との間に位置するオンセル型でもよい。これらの場合においては、ドライブ電極３１ＤＰとセンシング電極３３ＳＰとに挟まれる層が、透明誘電体層を構成する。
【符号の説明】
【０１６１】
１０…表示パネル、１１…下側偏光板、１２…薄膜トランジスタ（ＴＦＴ）基板、１３…ＴＦＴ層、１４…液晶層、１５…カラーフィルタ層、１５ａ…ブラックマトリクス、１５Ｂ…青色着色層、１５Ｇ…緑色着色層、１５Ｐ…画素、１５Ｒ…赤色着色層、１６…カラーフィルタ基板、１７…上側偏光板、２０…タッチパネル、２０Ｓ…操作面、２１…タッチセンサ用電極、２１ＵＳ，３１ＤＳ，３３ＳＳ…単位構造、２２…カバー層、２３，３２…透明接着層、３１…透明基板、３１ＤＤ，３３ＳＤ…ダミー電極線、３１ＤＥ…被選択電極線、３１ＤＥＣ，３３ＳＥＣ…接続線、３１ＤＥＥ，３３ＳＥＥ…延設線、３１ＤＬ，３３ＳＬ…切れ目、３１ＤＮ，３３ＳＮ…幅狭部、３１ＤＰ…ドライブ電極、３１ＤＲ１，３３ＳＲ１…第１領域、３１ＤＲ２，３３ＳＲ２…第２領域、３１ＤＷ，３３ＳＷ…幅広部、３１ＤＷ１，３３ＳＷ１…第１幅広部、３１ＤＷ２，３３ＳＷ２…第２幅広部、３１Ｐ…ドライブパッド、３１Ｓ…ドライブ電極面、３３…透明誘電体基板、３３Ｐ…センシングパッド、３３Ｓ…センシング電極面、３３ＳＥ…被検出電極線、３３ＳＰ…センシング電極、３４…選択回路、３５…検出回路、３５ａ…信号取得部、３５ｂ…信号処理部、３６…制御部、１００…表示装置、ＮＤ…ノード。
【図１】
2020106984.tif 000003
【図２】
2020106984.tif 000004
【図３】
2020106984.tif 000005
【図４】
2020106984.tif 000006
【図５】
2020106984.tif 000007
【図６】
2020106984.tif 000008
【図７】
2020106984.tif 000009
【図８】
2020106984.tif 000010
【図９】
2020106984.tif 000011
【図１０】
2020106984.tif 000012
【図１１】
2020106984.tif 000013
【図１２】
2020106984.tif 000014